【手続補正書】
【提出日】平成31年4月5日(2019.4.5)
【手続補正１】
【補正対象書類名】特許請求の範囲
【補正対象項目名】全文
【補正方法】変更
【補正の内容】
【特許請求の範囲】
【請求項１】
フレーム内の送信対象の複数の物理層パイプの複数の変調シンボルをデータ・セルの順次インデックス付き配列にマッピングする方法であって、前記方法は、
前記フレームに関し、前記複数の物理層パイプの各物理層パイプが分散型であるか、または、非分散型であるかを判定することと、
第１の物理層パイプが非分散型であると判定したことに応答して、前記順次インデックス付き配列の中の次の利用可能な位置に前記第１の物理層パイプの第１の変調シンボル値を投入することと、
第２の物理層パイプが分散型であると判定したことに応答して、
前記第２の物理層パイプのサイズを前記第２の物理層パイプのサブスライスの個数で割ることにより前記第２の物理層パイプに対するサブスライスサイズを計算し、
前記順次インデックス付き配列の中の次の利用可能な位置に前記第２の物理層パイプのサブスライスの第１の変調シンボル値を投入することと、
を含む、方法。
【請求項２】
前記第１の物理層パイプが非分散型であると判定したことに応答して、前記方法はさらに、
前記順次インデックス付き配列の中の前記次の利用可能な位置に前記第１の変調シンボル値を投入した後で、前記第１の物理層パイプに関連付けられた開始位置を１つ増加させることと、
前記開始位置に基づいて前記次の利用可能な位置を判定することと、を含む、請求項１に記載の方法。
【請求項３】
前記複数の物理層パイプのうちの前記第２の物理層パイプに関連付けられたサブスライスの前記個数は、前記複数の物理層パイプのうちの第２の分散型物理層パイプに関連付けられたサブスライスの第２の個数とは異なる、請求項１に記載の方法。
【請求項４】
前記複数の物理層パイプのうちの前記第２の物理層パイプの連続サブスライスの間の第１のサブスライス間隔は、前記複数の物理層パイプのうちの第２の分散型物理層パイプの連続サブスライスの間の第２のサブスライス間隔とは異なる、請求項１に記載の方法。
【請求項５】
前記第１の物理層パイプに関連付けられた、前記順次インデックス付き配列内の第１の開始位置は、分散型物理層パイプに関連付けられた、前記順次インデックス付き配列内の第２の開始位置の後に現れる、請求項１に記載の方法。
【請求項６】
前記複数の物理層パイプの各物理層パイプが分散型であるか、または、非分散型であるかを判定することは、前記物理層パイプに関連付けられた、種類を表すシグナリングフィールドを検査することを含む、請求項１に記載の方法。
【請求項７】
前記第２の物理層パイプは、前記フレームに関して分散型であり、別のフレームに関して非分散型である、請求項１に記載の方法。
【請求項８】
フレーム内の送信対象の複数の物理層パイプの複数の変調シンボルをデータ・セルの順次インデックス付き配列にマッピングするコンピュータ・プログラム・プロダクトであって、前記コンピュータ・プログラム・プロダクトは、１つ以上のコンピュータ読み取り可能な有形の記憶装置と、前記１つ以上の記憶装置のうちの少なくとも１つに記憶されたプログラム命令とを含み、前記プログラム命令は、
前記フレームに関し、前記複数の物理層パイプの各物理層パイプが分散型であるか、または、非分散型であるかを判定する第１のプログラム命令と、
第１の物理層パイプが非分散型であると判定したことに応答して、前記順次インデックス付き配列の中の次の利用可能な位置に前記第１の物理層パイプの第１の変調シンボル値を投入することを含む第２のプログラム命令と、
第２の物理層パイプが分散型であると判定したことに応答して、
前記第２の物理層パイプのサイズを前記第２の物理層パイプのサブスライスの個数で割ることにより前記第２の物理層パイプに対するサブスライスサイズを計算し、
前記順次インデックス付き配列の中の次の利用可能な位置に前記第２の物理層パイプのサブスライスの第１の変調シンボル値を投入することを含む第３のプログラム命令と、
を含む、コンピュータ・プログラム・プロダクト。
【請求項９】
前記第２のプログラム命令は、前記第１の物理層パイプからの変調シンボル値が前記順次インデックス付き配列に投入された後で、前記第１の物理層パイプに関連付けられた開始位置を１つ増加させることをさらに含む、請求項８に記載のコンピュータ・プログラム・プロダクト。
【請求項１０】
前記第２の物理層パイプのサブスライスの前記個数は、前記複数の物理層パイプのうちの第２の分散型物理層パイプのサブスライスの第２の個数とは異なる、請求項８に記載のコンピュータ・プログラム・プロダクト。
【請求項１１】
前記複数の物理層パイプのうちの前記第２の物理層パイプの連続サブスライスの間の第１のサブスライス間隔は、前記複数の物理層パイプのうちの第２の分散型物理層パイプの連続サブスライスの間の第２のサブスライス間隔とは異なる、請求項８に記載のコンピュータ・プログラム・プロダクト。
【請求項１２】
前記第１の物理層パイプに関連付けられた、前記順次インデックス付き配列内の第１の開始位置は、分散型物理層パイプに関連付けられた、前記順次インデックス付き配列内の第２の開始位置の後に現れる、請求項８に記載のコンピュータ・プログラム・プロダクト。
【請求項１３】
前記第１のプログラム命令は、各物理層パイプに関連付けられた、種類を表すシグナリングフィールドを検査することにより、前記複数の物理層パイプの各物理層パイプが分散型であるか、または、非分散型であるかを判定することをさらに含む、請求項８に記載のコンピュータ・プログラム・プロダクト。
【請求項１４】
前記第２の物理層パイプは、前記フレームに関して分散型であり、別のフレームに関して非分散型である、請求項８に記載のコンピュータ・プログラム・プロダクト。
【請求項１５】
前記第２の物理層パイプが分散型であると判定したことに応答して、前記方法はさらに、
前記サブスライス内の変調シンボルに関し、前記サブスライス内の前記変調シンボルの位置を表す数、および、前記サブスライスに関連付けられた数とサブスライス間隔との積の分だけ前記第２の物理層パイプに関連付けられた開始位置を増加させることを含む、請求項１に記載の方法。
【請求項１６】
前記フレームに対する前記第２の物理層パイプは、第１の個数のサブスライスを有し、第２のフレームに対する前記第２の物理層パイプは、分散型であり、かつ、第２の個数のサブスライスを有し、前記第１の個数は前記第２の個数と異なる、請求項１に記載の方法。
【請求項１７】
前記第２の物理層パイプが分散型であると判定したことに応答して、
前記第２の物理層パイプの前記サブスライスの、前記順次インデックス付き配列内の位置は、分散型物理層パイプの第２のサブスライスの、前記順次インデックス付き配列内の第２の位置の後に配置される、請求項１に記載の方法。
【請求項１８】
前記第３のプログラム命令は、さらに、
前記サブスライス内の変調シンボルに関し、前記サブスライス内の前記変調シンボルの位置を表す数、および、前記サブスライスに関連付けられた数とサブスライス間隔との積の分だけ前記第２の物理層パイプに関連付けられた開始位置を増加させることを含む、請求項８に記載のコンピュータ・プログラム・プロダクト。
【請求項１９】
前記フレームに対する前記第２の物理層パイプは、第１の個数のサブスライスを有し、第２のフレームに対する前記第２の物理層パイプは、分散型であり、かつ、第２の個数のサブスライスを有し、前記第１の個数は前記第２の個数と異なる、請求項８に記載のコンピュータ・プログラム・プロダクト。
【請求項２０】
前記フレームにおける前記第２の物理層パイプの前記サブスライスの、前記順次インデックス付き配列内の位置は、前記フレームにおける分散型物理層パイプの第２のサブスライスの、前記順次インデックス付き配列内の第２の位置の後に位置している、請求項８に記載のコンピュータ・プログラム・プロダクト。
【請求項２１】
命令を記憶したメモリと、
プロセッサと、を備える受信機であって、
前記プロセッサは、前記命令を実行すると、
データ・セルの順次インデックス付き配列にマッピングされた複数の物理層パイプ（ＰＬＰ）を含む直交周波数分割多重（ＯＦＤＭ）フレームを受信することと、
前記複数のＰＬＰのうちの第１のＰＬＰが非分散型であるかどうかを判定することと、
前記第１のＰＬＰが非分散型であると判定したことに応答して、
前記第１のＰＬＰに関し、前記第１のＰＬＰに関連付けられた、前記順次インデックス付き配列の中のデータ・セルに対応するＰＬＰ開始位置と、前記第１のＰＬＰに関連付けられたＰＬＰサイズとを判定し、
前記ＰＬＰサイズに等しいサイズを有する、前記順次インデックス付き配列の連続データ・セルサブセットを前記第１のＰＬＰに関連付けることと、
を行うように構成される、受信機。
【請求項２２】
前記連続データ・セルサブセットは、前記順次インデックス付き配列の複数の連続するデータ・セルに対応する、請求項２１に記載の受信機。
【請求項２３】
前記連続データ・セルサブセットは、前記ＰＬＰ開始位置に関連付けられたデータ・セルから開始する、請求項２１に記載の受信機。
【請求項２４】
命令を記憶したメモリと、
プロセッサと、を備える受信機であって、
前記プロセッサは、前記命令を実行すると、
データ・セルの順次インデックス付き配列にマッピングされた複数の物理層パイプ（ＰＬＰ）を含む直交周波数分割多重（ＯＦＤＭ）フレームを受信することと、
前記複数のＰＬＰのうちの第１のＰＬＰが分散型であるかどうかを判定することと、
前記第１のＰＬＰが分散型であると判定したことに応答して、
前記第１のＰＬＰに関し、前記第１のＰＬＰに関連付けられたサブスライス間隔と、前記第１のＰＬＰに関連付けられた、前記順次インデックス付き配列のインデックスに対応するＰＬＰ開始位置と、前記第１のＰＬＰに関連付けられたサブスライスの個数と、前記第１のＰＬＰに関連付けられたＰＬＰサイズとを取得し、
前記ＰＬＰサイズを前記サブスライスの個数で割ることにより前記第１のＰＬＰに対するサブスライスサイズを計算し、
前記サブスライスサイズに等しいサイズを有する、前記順次インデックス付き配列の連続データ・セルサブセットを前記第１のＰＬＰに関連付けることと、
を行うように構成される、受信機。
【請求項２５】
前記連続データ・セルサブセットは、前記順次インデックス付き配列の複数の連続するデータ・セルに対応する、請求項２４に記載の受信機。
【請求項２６】
前記連続データ・セルサブセットは、前記ＰＬＰ開始位置に関連付けられたデータ・セルから開始する、請求項２４に記載の受信機。
【請求項２７】
前記プロセッサは、前記サブスライスサイズに等しいサイズを有する、前記順次インデックス付き配列の第２の連続データ・セルサブセットを前記第１のＰＬＰに関連付けるようにさらに構成される、請求項２４に記載の受信機。
【請求項２８】
前記第２の連続データ・セルサブセットは、前記順次インデックス付き配列の複数の連続するデータ・セルに対応し、かつ、前記サブスライス間隔の倍数の分だけ増加された前記ＰＬＰ開始位置に対応する第２のデータ・セルから開始する、請求項２７に記載の受信機。
【請求項２９】
前記倍数は１以上の整数である、請求項２８に記載の受信機。
【請求項３０】
前記プロセッサは、前記ＰＬＰ開始位置と、前記サブスライスの個数と、前記ＰＬＰサイズとを、前記ＯＦＤＭフレームのプレアンブルから取得するようにさらに構成される、請求項２４に記載の受信機。
【請求項３１】
受信機において直交周波数分割多重（ＯＦＤＭ）フレームから物理層パイプ（ＰＬＰ）を検索する方法であって、
データ・セルの順次インデックス付き配列にマッピングされた複数のＰＬＰを含む前記ＯＦＤＭフレームを受信することと、
第１のＰＬＰが非分散型であるかどうかを判定することと、
前記第１のＰＬＰが非分散型であると判定したことに応答して、
前記第１のＰＬＰに関し、前記第１のＰＬＰに関連付けられた、前記順次インデックス付き配列の中のデータ・セルに対応するＰＬＰ開始位置と、前記第１のＰＬＰに関連付けられたＰＬＰサイズとを判定し、
前記ＰＬＰサイズに等しいサイズを有する、前記順次インデックス付き配列の連続データ・セルサブセットを前記第１のＰＬＰに関連付けることと、
を含む、方法。
【請求項３２】
前記連続データ・セルサブセットは、前記順次インデックス付き配列の複数の連続するデータ・セルに対応する、請求項３１に記載の方法。
【請求項３３】
前記連続データ・セルサブセットは、前記ＰＬＰ開始位置に関連付けられたデータ・セルから開始する、請求項３１に記載の方法。
【請求項３４】
受信機において直交周波数分割多重（ＯＦＤＭ）フレームから物理層パイプ（ＰＬＰ）を検索する方法であって、
データ・セルの順次インデックス付き配列にマッピングされた複数のＰＬＰを含む前記ＯＦＤＭフレームを受信することと、
前記複数のＰＬＰのうちの第１のＰＬＰが分散型であるかどうかを判定することと、
前記第１のＰＬＰが分散型であると判定したことに応答して、
前記受信機において、前記第１のＰＬＰに関連付けられたサブスライス間隔と、前記第１のＰＬＰに関連付けられた、前記順次インデックス付き配列のインデックスに対応するＰＬＰ開始位置と、前記第１のＰＬＰに関連付けられたサブスライスの個数と、前記第１のＰＬＰに関連付けられたＰＬＰサイズとを取得し、
前記ＰＬＰサイズを前記サブスライスの個数で割ることにより前記第１のＰＬＰに対するサブスライスサイズを計算し、
前記サブスライスサイズに等しいサイズを有する、前記順次インデックス付き配列の連続データ・セルサブセットを前記第１のＰＬＰに関連付けることと、
を含む、方法。
【請求項３５】
前記連続データ・セルサブセットは、前記順次インデックス付き配列の複数の連続するデータ・セルに対応する、請求項３４に記載の方法。
【請求項３６】
前記連続データ・セルサブセットは、前記ＰＬＰ開始位置に関連付けられたデータ・セルから開始する、請求項３４に記載の方法。
【請求項３７】
前記サブスライスサイズに等しいサイズを有する、前記順次インデックス付き配列の第２の連続データ・セルサブセットを前記第１のＰＬＰに関連付けることをさらに含む、請求項３４に記載の方法。
【請求項３８】
前記第２の連続データ・セルサブセットは、前記順次インデックス付き配列の複数の連続するデータ・セルに対応し、当該複数の連続するデータ・セルは、前記サブスライスサイズに等しく、かつ、前記サブスライス間隔の倍数の分だけ増加された前記ＰＬＰ開始位置に対応するデータ・セルから開始する、請求項３７に記載の方法。
【請求項３９】
前記倍数は１以上の整数である、請求項３８に記載の方法。
【請求項４０】
前記ＰＬＰ開始位置と、前記サブスライスの個数と、前記ＰＬＰサイズとを、前記ＯＦＤＭフレームのプレアンブルから取得することをさらに含む、請求項３４に記載の方法。